(57)【特許請求の範囲】
【請求項１】
ロール媒体を仮置きする仮置き部と、
ロール媒体の幅方向に移動可能でありロール媒体の芯口に嵌合する嵌合部を有し、ロール媒体を繰り出し可能に保持するロールホルダーと、
前記仮置き部に仮置きされたロール媒体の位置から該ロール媒体の芯口が前記嵌合部と対向する位置となるまで該ロール媒体を持ち上げる昇降手段と、を備え、
該昇降手段は、ロール媒体の載置部を有し、基体部に対して前記載置部を上下方向に昇降可能な昇降部と、
支点を中心にして回動し、該回動により前記昇降部を移動させる操作レバーと、
該操作レバーの自由端側に設けられたペダルと、
前記載置部と前記基体部との間に設けられるカバー部材と、を有し、
前記操作レバーの前記支点寄りの位置において、当該操作レバーの上下方向の回動を前記昇降部の上下動に変換して動力伝達するカム部が設けられており、
前記操作レバーが回動し前記カム部が前記昇降部を上方へ移動させ始めてから、前記操作レバーが停止し前記昇降部の上方への移動が停止するまでの間、前記カム部における前記昇降部と当接する箇所が、前記昇降部が上方へ移動するときの移動方向を向いており、
前記カム部と前記昇降部との前記当接する箇所は、前記操作レバーを回動した際において、前記昇降部の中央で一定であり、
前記カバー部材は、前記昇降部が上方へ移動することによって生じる前記昇降部と前記基体部との間の隙間を塞ぐよう構成されていることを特徴とするロール媒体繰り出し装置。
【請求項２】
請求項１に記載のロール媒体繰り出し装置において、前記ペダルを少なくとも鉛直方向下方のベクトル成分を有する方向へ移動させると、前記昇降部が上方へ移動する関係であるロール媒体繰り出し装置。
【請求項３】
ロール媒体を繰り出し可能な繰り出し手段と、
ロール媒体に対して記録する記録部と、を備えた記録装置であって、
前記繰り出し手段は、請求項１又は２に記載のロール媒体繰り出し装置を有していることを特徴とする記録装置。
【発明の詳細な説明】
【技術分野】
【０００１】
本発明は、ロール媒体の芯口に嵌合する嵌合部を有するロール媒体繰り出し装置および該ロール媒体繰り出し装置を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、ロール紙を繰り出す繰り出し装置を有していた。該繰り出し装置は、ロール紙の芯に嵌る軸を有しており、該軸によってロール紙を支持していた。  
そして、大型のインクジェットプリンター等の記録装置では、下記の特許文献１に示すようにロール紙の重量が重いことからロール紙を一旦、記録装置の仮置き台に置いてから、記録装置に取り付けられているロール紙ホルダーに装着する。  
従来は、前記ロール紙を仮置き台に置いてから、ロール紙ホルダーの軸部の高さ位置まで、ユーザーが手で約２〜５ｃｍ程度持ち上げてロール芯の芯口と前記軸部との位置合わせを行う。その後、ロール紙ホルダーを軸方向に水平にスライドさせて前記軸部を前記芯口に装着していた。
【先行技術文献】
【特許文献】
【０００３】
【特許文献１】特開２００９−２３１７１号公報
【発明の概要】
【発明が解決しようとする課題】
【０００４】
しかし、ロール紙の重量は２０〜３０ｋｇ、更に４０ｋｇ、５０ｋｇのものまであり、このようなロール紙の高重量化に伴い、前記人手によるロール紙の持ち上げ作業をユーザーに委ねることは、ユーザーに重労働を強いることになるという問題が顕在化してきた。
【０００５】
本発明は、このような状況に鑑み成されたものであり、その課題は、ロール媒体の高重量化に対応して重量の重いロール媒体であっても、ユーザーが重労働無くロールホルダーにロール媒体を装着することを考慮したロール媒体繰り出し装置および該ロール媒体繰り出し装置を備えた記録装置を提供することである。
【課題を解決するための手段】
【０００６】
上記課題を達成するため、本発明の第１の態様のロール媒体繰り出し装置は、ロール媒体を仮置きする仮置き部と、ロール媒体の幅方向に移動可能でありロール媒体の芯口に嵌合する嵌合部を有し、ロール媒体を繰り出し可能に保持するロールホルダーと、前記仮置き部に仮置きされたロール媒体の位置から該ロール媒体の芯口が前記嵌合部と対向する位置となるまで該ロール媒体を持ち上げる昇降手段と、を備え、該昇降手段は、前記載置部を有し上下方向に昇降可能な昇降部と、支点を中心にして回動し、該回動により前記昇降部を移動させる操作レバーと、該操作レバーの自由端側に設けられたペダルと、を有することを特徴とする。
【０００７】
本態様によれば、ユーザーは、足で前記ペダルを踏んで前記操作レバーを操作することができる。この際、ユーザーの両手が空くので、前記ペダルを有さない構成と比較して、ロール媒体を前記ロールホルダーへ取り付けることが容易となる。  
また、ロール媒体を持ち上げた状態でユーザーは手を使用して前記ロールホルダーを前記幅方向へ移動させ、前記嵌合部をロール媒体の前記芯口にしっかりと嵌めることができる。この際、一方の手をロール媒体に添えて、他方の手で前記ロールホルダーを移動させる。そして両者を接近させる方向へユーザーが力を作用させて前記嵌合部を前記芯口にしっかりと嵌める。
【０００８】
つまり、一方の手で前記昇降手段の前記操作レバーを操作しながら他方の手で前記ロールホルダーを移動させる構成と比較して、ユーザーは力を入れやすいのでその分しっかりと嵌めることができる。  
尚、ロール媒体の種類やサイズを変更するために、前記ロールホルダーに取り付けたロール媒体を取り外して前記仮置き部へ下ろす際も同様である。
【０００９】
本発明の第２の態様は、第１の態様において、前記ペダルを少なくとも鉛直方向下方のベクトル成分を有する方向へ移動させると、前記昇降部が上方へ移動する関係であることを特徴とする。  
本態様によれば、第１の態様と同様の作用効果に加え、ユーザーは前記ペダルを下方へ踏むことにより、ロール媒体を持ち上げることができる。仮に前記ペダルを上方へ移動させてロール媒体を持ち上げる構成とした場合と比較して、ユーザーは体重を前記ペダルにかけることができるので、容易にロール媒体を持ち上げることができる。  
また、体重のかけ具合を調整することにより、ロール媒体の持ち上げ具合を調整することができるので、仮に前記ペダルを上方へ移動させてロール媒体を持ち上げる構成とした場合と比較して、操作が容易である。つまり、上下方向におけるロール媒体の位置を、前記嵌合部と前記芯口とが対向する位置に調整しやすい。
【００１０】
本発明の第３の態様は、第１または第２の態様において、前記操作レバーの前記支点寄りの位置において、当該操作レバーの上下方向の回動を前記昇降部の上下動に変換して動力伝達するカム部が設けられており、前記操作レバーが回動し前記カム部が前記昇降部を上方へ移動させ始めてから、前記操作レバーが停止し前記昇降部の上方への移動が停止するまでの間、前記カム部における前記昇降部と当接する箇所が、前記昇降部が上方へ移動するときの移動方向を向いていることを特徴とする。  
ここで、「当接する箇所が、前記昇降部が上方へ移動するときの移動方向を向いている」は、厳密に方向が一致していなくてもよく、誤差を含んで略移動方向を向いていればよい。
【００１１】
本態様によれば、第１または第２の態様と同様の作用効果に加え、前記カム部から前記昇降部に対しては、前記当接する箇所の法線方向への力が大きく作用する。そのため、上方へ移動する方向の力が前記昇降部に対して大きく作用する。一方、上下方向に対する横方向の力は前記昇降部に対して殆ど作用しない。従って、前記昇降手段における前記昇降部およびカム部以外の部材と前記昇降部との間の摩擦力を略無にすることができる。その結果、前記昇降部を上昇させる際の力の伝達効率がよく、容易にロール媒体を持ち上げることができる。
【００１２】
本発明の第４の態様の記録装置は、ロール媒体を繰り出し可能な繰り出し手段と、ロール媒体に対して記録する記録部と、を備えた記録装置であって、前記繰り出し手段は、第１から第３のいずれか一の態様のロール媒体繰り出し装置を有していることを特徴とする。  
本態様によれば、前記繰り出し手段は、第１から第３のいずれか一の態様のロール媒体繰り出し装置を有している。従って、前記記録装置において、上記第１から第３のいずれか一の態様と同様の作用効果を得ることができる。
【図面の簡単な説明】
【００１３】
【図１】本実施例のプリンターの全体構成の概略を示す側断面図。
【図２】本実施例のプリンターの全体構成の概略を示す正面図。
【図３】本実施例の媒体繰り出し手段のロール媒体ホルダー装置を示す斜視図。
【図４】本実施例の持ち上げ手段の内部を示す側断面図（持ち上げ前）。
【図５】本実施例のロール媒体持ち上げ前のホルダー装置を示す正面図。
【図６】本実施例の持ち上げ手段の内部を示す側断面図（持ち上げ途中）。
【図７】本実施例の持ち上げ手段の内部を示す側断面図（持ち上げ途中）。
【図８】本実施例の持ち上げ手段の内部を示す側断面図（持ち上げた状態）。
【図９】本実施例のロール媒体持ち上げ時のホルダー装置を示す正面図。
【図１０】本実施例の第１ホルダー部を摺動させた際の状態を示す正面図。
【図１１】本実施例の第１ホルダー部へのロール媒体の取り付けが完了した状態を示す正面図。
【発明を実施するための形態】
【００１４】
以下、本発明の実施の形態を図面に基づいて説明する。  
図１に示すのは、本実施例の記録装置としての大型のインクジェットプリンター１（以下、単にプリンターという。）の全体構成の概略を示す側断面図である。  
図１に示す如く、プリンター１は、媒体繰り出し手段２６と、記録部２８と、巻き取り手段３７と、を備えている。このうち、媒体繰り出し手段２６は、ロール状に巻かれたロール媒体Ｒを解いて送り方向Ｑへ送り出すことができる。具体的には、送り出し側ロールホルダーである第１ホルダー部３と、ローラー対２９と、を有している。
【００１５】
このうち、第１ホルダー部３は、ロール媒体Ｒの両端部を回動可能に保持することができる。第１ホルダー部３は、ロール媒体Ｒのロール芯１１の芯口１２に嵌る嵌合部１３を有している。嵌合部１３は、回動自在な構成でも、図示しないモーターの動力によって駆動する構成でもよい。回動自在な構成の場合は、送り方向下流側の駆動するローラー対２９によってロール媒体Ｒが引っ張られて解かれるからである。
【００１６】
また、嵌合部１３が前記モーターの動力によって駆動する場合、媒体繰り出し手段２６はローラー対２９を有していない構成でもよい。  
尚、第１ホルダー部３は、向い合わせで一対配設されている。そして、このうち少なくとも一方の第１ホルダー部３が、ロール媒体Ｒの幅寸法の違いに対応してガイド部材７に対して幅方向Ｘにスライドし取付け位置を調整できる。
【００１７】
また、第１ホルダー部３の下方には、仮置き部としての仮置き台５と、昇降手段としての持ち上げ手段２とが設けられている。仮置き台５は、ロール媒体Ｒを第１ホルダー部３に取り付ける前に仮に置くための台である。一例として、持ち上げ手段２の後述する昇降部１６の載置部２２によって構成されている。仮置き台５を持ち上げ手段２と別に構成してもよいのは勿論である。また、持ち上げ手段２は、仮置き台５に置かれた重たいロール媒体Ｒを容易に上方に持ち上げ、ロール媒体Ｒの端部を容易に第１ホルダー部３に取り付けることができる。
【００１８】
具体的に、持ち上げ手段２は、ガイド部材７としての二本の第１管部材７ａ、第２管部材７ｂに対して幅方向Ｘに摺動可能な基体部８と、操作レバー６と、昇降部１６と、ペダル１４と、を備えている。そして、操作レバー６の自由端側に設けられたペダル１４をユーザーが足で踏んで操作して、操作レバー６を一方向へ回動させることにより、昇降部１６は上昇し、ロール媒体Ｒを持ち上げることができる。一方、操作レバー６を反対方向へ回動させることにより、昇降部１６は下降し、ロール媒体Ｒを下ろすことができる。つまり、操作レバー６のレバー比の大きさを利用して比較的小さい力で、比較的重いロール媒体Ｒを上げ下げすることができる。
【００１９】
また、記録部２８は、プリンター本体１９を有している。プリンター本体１９には、幅方向Ｘに延設されたキャリッジガイド軸２１と、キャリッジ２３と、記録ヘッド２５と、媒体支持部２７とが設けられている。キャリッジ２３は、キャリッジガイド軸２１にガイドされながら幅方向Ｘへ移動可能に設けられている。また、記録ヘッド２５は、キャリッジ２３における媒体支持部２７と対向する位置に設けられ、インクをロール媒体Ｒに対して吐出して記録することができる。またさらに、媒体支持部２７は、ロール媒体Ｒを支持し、ロール媒体Ｒと記録ヘッド２５との間の距離を所定の距離にすることができる。
【００２０】
尚、ローラー対２９は、プリンター本体１９の内部に設けたが、外部でもよい。ロール媒体Ｒを送り方向Ｑへ送ることができればよいからである。  
また、プリンター本体１９より送り方向上流側にはプレヒーター３１が設けられている。ロール媒体Ｒに対して記録を実行する前の段階で予めロール媒体Ｒを温めることにより、記録を実行した際、ロール媒体Ｒに着弾したインクが乾燥しやすくするためである。
【００２１】
またさらに、プリンター本体１９より送り方向下流側にはアフターヒーター３３が設けられている。ロール媒体Ｒに着弾したインクを、記録を実行した後から巻き取り手段３７によって巻かれる前までの間に、確実に乾燥させるためである。  
またさらに、巻き取り手段３７は、図示しないモーターの動力によってロール媒体Ｒを巻き取ることができる。具体的には、ガイド部材３９としての二本の第３管部材３９ａ、第４管部材３９ｂに取り付けられた巻き取り側ロールホルダーとしての第２ホルダー部４０を有している。そして、第２ホルダー部４０に巻き取ったロール媒体Ｒを保持することができる。
【００２２】
尚、プリンター１は、下端部に移動用のキャスター１５を有する側面視逆Ｔ字形の支持フレーム１７を対向するように左右両端部に備えている。そして、支持フレーム１７の上部にプリンター本体１９が設けられている。また、支持フレーム１７に取り付けられたサブフレーム３５に、ガイド部材７が取り付けられている。またさらに、第３管部材３９ａ、第４管部材３９ｂの両端は、支持フレーム１７から延びた保持部２４によって保持されている。  
また、図中のＺ軸方向は、鉛直方向である。
【００２３】
図２に示すのは、本実施例のプリンター１の全体構成の概略を示す正面図である。  
図２に示す如く、プリンター１の支持フレーム１７を基準とした前側には、第１ホルダー部３が設けられ、後側には、第２ホルダー部４０が設けられている。第１ホルダー部３は、前述したように、サブフレーム３５によって両端が保持されたガイド部材７としての第１管部材７ａ、第２管部材７ｂに対して、スライド可能に設けられている。同様に、第２ホルダー部４０は、保持部２４によって両端が保持されたガイド部材３９としての第３管部材３９ａ、第４管部材３９ｂに対して、スライド可能に設けられている。
【００２４】
ここで、第２ホルダー部４０の第３管部材３９ａ、第４管部材３９ｂに対する固定の仕方は、第１ホルダー部３の第１管部材７ａ、第２管部材７ｂに対する固定の仕方と同様である。以下、第１ホルダー部３を第１管部材７ａ、第２管部材７ｂに対して固定する構造について説明するものとし、第２ホルダー部４０を第３管部材３９ａ、第４管部材３９ｂに対して固定する構造についての説明は省略する。
【００２５】
図３に示すのは、本実施例の媒体繰り出し手段２６におけるロール媒体ホルダー装置５１を示す斜視図である。  
図３に示す如く、媒体繰り出し手段２６は、ロール媒体ホルダー装置５１を備えている。ロール媒体ホルダー装置５１は、ガイド部材７（ガイド部）として二本の第１管部材７ａ、第２管部材７ｂと、嵌合部１３を有した第１ホルダー部３と、持ち上げ手段２とを備えている。
【００２６】
そして、つまみ付きのねじ（図示せず）のつまみ部３６を、ねじを緩める方向へ回転させることにより、第１ホルダー部３を第１管部材７ａ、第２管部材７ｂに対して摺動させることができる。具体的には、第１ホルダー部３の下方に設けられたベース部４が第１管部材７ａ、第２管部材７ｂに対して摺動する。一方、ねじを締める方向へ回転させることにより、第１ホルダー部３を第１管部材７ａ、第２管部材７ｂに対して固定することができる。従って、ロール媒体Ｒの幅サイズに応じて一対の第１ホルダー部３の位置を調整することができる。
【００２７】
尚、持ち上げ手段２は、一対の第１ホルダー部３の間において、第１管部材７ａ、第２管部材７ｂに対して摺動可能に設けられている。持ち上げ手段２については、第１管部材７ａ、第２管部材７ｂに対して摺動可能な状態と固定した状態とを切り替え可能に構成する必要はない。ロール媒体Ｒのサイズに応じてロール媒体Ｒの側端近傍の下方へ摺動させ、ロール媒体Ｒの側端を持ち上げることができればよいからである。
【００２８】
続いて、持ち上げ手段２の内部構造について説明する。  
図４に示すのは、本実施例の持ち上げ手段２の内部を示す側断面図である。  
図４に示す如く、持ち上げ手段２は、操作レバー６と、基体部８と、昇降部１６と、ペダル１４と、を備えている。このうち、操作レバー６には、穴部９と、カム部１０と、ペダル１４とが設けられている。穴部９には、第２管部材７ｂが挿通されており、操作レバー６は、第２管部材７ｂを中心に回動する。また、基体部８には、第１管部材７ａおよび第２管部材７ｂが挿通されている。またさらに、昇降部１６は、基体部８の内側に組み込まれており、基体部８によって鉛直方向Ｚに案内される。
【００２９】
また、昇降部１６の上方には、仮置き台５としてロール媒体Ｒが載置される載置部２２が設けられている。  
さらに、昇降部１６の下方には、カムフォロア部１８が設けられている。そして、カムフォロア部１８は、操作レバー６のカム部１０と接触している。また、昇降部１６の載置部２２の近傍と、基体部８との間には、カバー部材２０が配設されている。カバー部材２０は、昇降部１６が上昇したとき、昇降部１６と基体部８との隙間Ｅ（図８参照）を覆うために設けられている。
【００３０】
また、載置部２２は、第１管部材７ａおよび第２管部材７ｂの軸方向（Ｘ）から見て、中央に対して両側が高く形成されている。言い換えると、ロール媒体Ｒと接触する上側の二つの辺２２ａ、２２ｂがＶ字状に見えるように、載置部２２の上面が形成されている。これにより、ロール媒体Ｒを載置したとき、ロール媒体Ｒが転がらないようにして、ロール媒体Ｒの位置を安定させることができる。技術的思想としては、Ｖ字状でなくても、軸方向（Ｘ）から見て、上側の二つの辺２２ａ、２２ｂが、下方に進むに従って互いの距離が短くなり、該二つの辺２２ａ、２２ｂがロール媒体Ｒの外周面と接触する構成であればよい。
【００３１】
続いて、持ち上げ手段２を使用して、ロール媒体Ｒの芯口１２に嵌合部１３を嵌める動作について説明する。  
図５に示すのは、本実施例のロール媒体Ｒを持ち上げる前のロール媒体ホルダー装置５１を示す正面図である。尚、図５に示すのは、一対のうちの一方の第１ホルダー部３である。他方の第１ホルダー部（３）も同様であるので、一方のみについて説明することとし、他方についての説明は省略する。
【００３２】
また、本実施例の嵌合部１３は、第１支持部１３ａと、第２支持部１３ｂと、傾斜部１３ｃと、段差１３ｄとを有している。このうち、第１支持部１３ａは、第１のサイズのロール媒体（Ｒ）のロール芯（１１）の芯口（１２）に嵌り、第１のサイズのロール媒体（Ｒ）を支持する。一方、第２支持部１３ｂは、第１のサイズより芯口が大きい第２のサイズのロール媒体Ｒのロール芯１１の芯口１２に嵌り、第２のサイズのロール媒体Ｒを支持する。
【００３３】
第１支持部１３ａおよび第２支持部１３ｂは、嵌合部１３の先端側（ロール媒体Ｒ側）へ向かって徐々に細くなるように幅方向Ｘに対して若干傾いている。つまり、円錐の外周面のように若干傾斜している。  
また、第１支持部１３ａと第２支持部１３ｂとの間には段差１３ｄが形成されている。そして、第１支持部１３ａと第２支持部１３ｂとを繋ぐように傾斜部１３ｃが形成されている。これは、第２のサイズのロール媒体Ｒのロール芯１１の芯口１２に嵌合部１３の第２支持部１３ｂをスムーズにはめ込むためである。  
尚、本実施例では、第２のサイズのロール媒体Ｒとして説明する。
【００３４】
図６に示すのは、本実施例の持ち上げ手段２の持ち上げ途中の動作を示す側断面図である。  
図６に示す如く、図４の状態から操作レバー６を一の棒体７ａを中心に図中の時計方向へ回動させる。具体的には、ユーザーは、足でペダル１４を踏むことにより、操作レバー６を回動させる。この際、てこの原理に基づいて、操作レバー６の回動中心である支点Ｂから操作レバー６に力を加える力点Ｃまでの距離は、操作レバー６の回動中心（支点Ｂ）からカム部１０におけるカムフォロア部１８と当接する箇所１０ａである作用点Ｄまでの距離と比較して、十分に長いものとする。
【００３５】
操作レバー６の回動に伴い、カム部１０が回動する。そして、カム部１０が昇降部１６のカムフォロア部１８に対して上方へ押し上げる力を作用する。これにより、昇降部１６は上方へ移動する。そして、昇降部１６はロール媒体Ｒを上方へ移動させる。この際、持ち上げ手段２は、ユーザーの比較的小さい力をてこの原理により大きな力に変換し、重たいロール媒体Ｒを上方へ持ち上げることができる。
【００３６】
また、カム部１０がカムフォロア部１８と当接する箇所１０ａは、昇降部１６の移動方向Ｚを向いている。従って、カム部１０がカムフォロア部１８に対して作用する力の向きは、昇降部１６の移動方向Ｚである。言い換えると、昇降部１６の移動方向Ｚに対して横方向の力が作用しない。従って、昇降部１６と基体部８との間の摩擦抵抗を限りなく小さくすることができる。その結果、力のロスを最小にすることができ、その分容易にロール媒体Ｒを持ち上げることができる。  
尚、カム部１０が回転運動することに対して、カムフォロア部１８は直線運動をする。そのため、カム部１０とカムフォロア部１８との間に摩擦が生じるが、当接箇所１０ａを滑らかにすることにより、殆ど影響がないようにすることができる。
【００３７】
図７に示すのは、本実施例の持ち上げ手段２の持ち上げ途中の動作を示す側断面図である。  
図７に示す如く、図６の状態から操作レバー６を図中の時計方向へさらに回動させる。すると、カム部１０がさらに回動する。これにより、昇降部１６はさらに上方へ移動する。そして、昇降部１６はロール媒体Ｒをさらに上方へ移動させる。この際、昇降部１６と基体部８との間に取り付けられたカバー部材２０は、昇降部１６と当接する。本実施例では、昇降部１６の外側面とカバー部材２０の内側面とが当接する。  
尚、突起等を設けてカバー部材２０と昇降部１６とが当接する構成でもよい。  
また、このときも、カム部１０がカムフォロア部１８と当接する箇所１０ａは、昇降部１６の移動方向Ｚを向いている。従って、昇降部１６の移動方向Ｚに対して横方向の力が作用しない。
【００３８】
図８に示すのは、持ち上げた状態の持ち上げ手段２を示す側断面図である。また、図９に示すのは、図８の状態の正面図である。  
図８に示す如く、図７の状態から操作レバー６の図８中の時計方向へさらに回動させる。すると、カム部１０がさらに回動する。これにより、昇降部１６はさらに上方へ移動する。そして、昇降部１６はロール媒体Ｒをさらに上方へ移動させる。このときも、カム部１０がカムフォロア部１８と当接する箇所１０ａは、昇降部１６の移動方向Ｚを向いている。従って、昇降部１６の移動方向Ｚに対して横方向の力が作用しない。
【００３９】
また、このとき、カバー部材２０は、昇降部１６と一体となって上方へ移動する。そして、カバー部材２０は、昇降部１６が上方へ移動することによって生じる昇降部１６と基体部８との間の隙間Ｅを塞ぐ。従って、前記隙間Ｅに物が入り込む虞がない。また、誤って前記隙間Ｅに手を挟んでしまうような事故が生じる虞もない。特に、昇降部１６が移動する距離が比較的長い場合に前記隙間Ｅが生じるので、カバー部材２０を有する構成は有効である。
【００４０】
また、ロール媒体Ｒの重量が重たい場合に事故につながる虞があるので、カバー部材２０を有する構成は有効である。  
そして、図９に示す如く、第１ホルダー部３の嵌合部１３の高さまで、ロール媒体Ｒのロール芯１１の芯口１２が移動したとき、操作レバー６の回動を停止させ、ロール媒体Ｒの持ち上げを停止させる。
【００４１】
図１０に示すのは、本実施例の第１ホルダー部３を摺動させた際の状態を示す正面図である。  
また、図１１に示すのは、第１ホルダー部３へのロール媒体Ｒの取り付けが完了した状態を示す正面図である。  
尚、図１０および図１１に示すのは、一対のうちの一方の第１ホルダー部３である。
【００４２】
図１０に示す如く、前記一端側の第１ホルダー部３の嵌合部１３の高さと、ロール媒体Ｒの前記一端側のロール芯１１の芯口１２の高さとを同じにしたら、前記一端側の第１ホルダー部３をロール媒体Ｒ側へ摺動させる。そして、ロール芯１１の芯口１２に前記一方の第１ホルダー部３の嵌合部１３をはめ込む。
【００４３】
さらに、ユーザーが所定の大きさの力で第１ホルダー部３をロール媒体Ｒ側へ押す。すると、嵌合部１３の第２支持部１３ｂがロール媒体Ｒのロール芯１１の芯口１２にぴったりとはめ込まれる。  
そして、前述したようにつまみ部３６を回転させて第１管部材７ａ、第２管部材７ｂに対して前記一方の第１ホルダー部３を固定する。
【００４４】
その後、図１１に示す如く、持ち上げ手段２の操作レバー６のペダル１４から足を離して操作レバー６を元の姿勢（図４参照）に戻して、昇降部１６を下げる。  
尚、二人で協働して一対の第１ホルダー部３の嵌合部１３をロール媒体Ｒの両側の芯口１２に略同じタイミングではめ込んでもよいのは勿論である。また、一人で片側ずつ嵌合部１３を芯口１２にはめ込んでもよい。
【００４５】
以上説明したように、本実施例の持ち上げ手段２はペダル１４を有しているので、ユーザーは、足でペダル１４を踏んで操作レバー６を操作することができる。この際、ユーザーの両手が空くので、ペダル１４を有さない構成と比較して、ロール媒体Ｒの取り付けが容易となる。また、ユーザーの体重をペダル１４にかけることができるので、手で操作する場合と比較して操作レバー６に力を加えやすい。つまり、容易に、ロール媒体Ｒを持ち上げることができる。
【００４６】
また、ロール媒体Ｒを持ち上げた状態でユーザーは手を使用して第１ホルダー部３をロール媒体Ｒ側へ移動させ、嵌合部１３をロール媒体Ｒの芯口１２にしっかりと嵌めることができる。この際、一方の手をロール媒体Ｒに添えて、他方の手で第１ホルダー部３を移動させる。そして両者を接近させる方向へユーザーが力を作用させて嵌合部１３を芯口１２にしっかりと嵌めることができる。
【００４７】
つまり、仮に一方の手で持ち上げ手段２の操作レバー６を操作しながら他方の手で第１ホルダー部３を移動させる構成である場合と比較して、ユーザーは力を入れやすいのでその分しっかりと嵌めることができる。  
尚、ロール媒体Ｒを第１ホルダー部３から取り外す際は、第１ホルダー部３を幅方向外側へ摺動させ、嵌合部１３をロール芯１１の芯口１２から引き抜く。この際、持ち上げ手段２によってロール媒体Ｒを支えながら前記引き抜くと、嵌合部１３とロール芯１１との間の摩擦力を低減させることができるので、引き抜きやすくなる。
【００４８】
また、少なくとも鉛直方向下方のベクトル成分を有する方向へペダル１４を移動させると、昇降部１６が上方へ移動する関係である構成が望ましい。ユーザーの体重をペダル１４にかけることによりロール媒体Ｒを持ち上げることができるからである。尚、技術的思想としては、ユーザーの足でペダル１４を操作して操作レバー６を回動させて、ロール媒体Ｒを持ち上げることができればよい。従って、ロール媒体Ｒを持ち上げる際のペダル１４の移動方向は、鉛直方向下方のベクトル成分を有する方向でなくてもよい。
【００４９】
またさらに、ペダル１４を有する操作レバー６が回動してカム部１０が昇降部１６を上方へ移動させる構成としたが、これに限らない。動力を伝達する機構として、リンク機構や、ラックアンドピニオン機構を採用してもよい。つまり、動力を伝達する手段はカム機構に限らない。また、昇降部１６が直線移動する構成としたが、直線移動しなくてもよい。例えば、弧を描くように移動してもよい。  
また、本実施例のペダル１４は操作レバー６の自由端に一体に形成したが、ペダル１４は操作レバー６と一体でなくてもよい。操作しやすいように操作レバー６に対して回動可能な構成でもよい。
【００５０】
尚、本実施例では、媒体繰り出し手段２６である第１ホルダー部３の下方に昇降手段としての持ち上げ手段２を設けたが、巻き取り手段３７である第２ホルダー部４０の下方に昇降手段としての持ち上げ手段２を設けてもよい。係る場合、第２ホルダー部４０から取り外して下ろしてそっと所定の場所に置くことができる。巻き取ったロール媒体Ｒは重量が重いため、第２ホルダー部４０の下方に持ち上げ手段２を設けた構成は有効である。
【００５１】
本実施例のロール媒体繰り出し装置としての媒体繰り出し手段２６は、ロール媒体Ｒを仮置きする仮置き部としての仮置き台５と、ロール媒体Ｒの幅方向Ｘに移動可能でありロール媒体Ｒの芯口１２に嵌合する嵌合部１３を有し、ロール媒体Ｒを繰り出し可能に保持するロールホルダーとしての第１ホルダー部３と、仮置き台５に仮置きされたロール媒体Ｒの位置からロール媒体Ｒの芯口１２が嵌合部１３と対向する位置となるまでロール媒体Ｒを持ち上げる昇降手段としての持ち上げ手段２と、を備え、持ち上げ手段２は、載置部２２を有し上下方向に昇降可能な昇降部１６と、支点Ｂを中心にして回動し、該回動により昇降部１６を移動させる操作レバー６と、操作レバー６の自由端側に設けられたペダル１４と、を有することを特徴とする。
【００５２】
また、本実施例において、ペダル１４を少なくとも鉛直方向下方のベクトル成分を有する方向へ移動させると、昇降部１６が上方へ移動する関係であることを特徴とする。  
またさらに、本実施例において、操作レバー６の前記支点Ｂ寄りの位置において、操作レバー６の上下方向の回動を昇降部１６の上下動に変換して動力伝達するカム部１０が設けられており、操作レバー６が回動しカム部１０が昇降部１６を上方へ移動させ始めてから、操作レバー６が停止し昇降部１６の上方への移動が停止するまでの間、カム部１０における昇降部１６と当接する箇所１０ａが、昇降部１６が上方へ移動するときの移動方向を向いていることを特徴とする。  
本実施例の記録装置であるプリンター１は、ロール媒体Ｒを繰り出し可能な繰り出し手段と、ロール媒体Ｒに対して記録する記録部２８と、を備えていることを特徴とする。
【００５３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５４】
１  プリンター、２  持ち上げ手段（昇降手段）、
３  第１ホルダー部（ロールホルダー）、４  ベース部、５  仮置き台（仮置き部）、
６  操作レバー、７  ガイド部材、７ａ  第１管部材、７ｂ  第２管部材、８  基体部、
９  穴部、１０  カム部、１０ａ  当接する箇所、１１  ロール芯、１２  芯口、
１３  嵌合部、１３ａ  第１支持部、１３ｂ  第２支持部、１３ｃ  傾斜部、
１３ｄ  段差、１４  ペダル、１５  キャスター、１６  昇降部、１７  支持フレーム、
１８  カムフォロア部、１９  プリンター本体、２０  カバー部材、
２１  キャリッジガイド軸、２２  載置部、２２ａ  辺、２２ｂ  辺、
２３  キャリッジ、２４  保持部、２５  記録ヘッド、２６  媒体繰り出し手段、
２７  媒体支持部、２８  記録部、２９  ローラー対、３１  プレヒーター、
３３  アフターヒーター、３５  サブフレーム、３６  つまみ部、３７  巻き取り手段、
３９  ガイド部材、３９ａ  第３管部材、３９ｂ  第４管部材、４０  第２ホルダー部、
５１  ロール媒体ホルダー装置、Ｂ  支点、Ｃ  力点、Ｄ  作用点、
Ｅ  隙間、Ｑ  送り方向、Ｒ  ロール媒体、Ｘ  幅方向、Ｚ  鉛直方向
【図１】
0005943175.tif 000002
【図２】
0005943175.tif 000003
【図３】
0005943175.tif 000004
【図４】
0005943175.tif 000005
【図５】
0005943175.tif 000006
【図６】
0005943175.tif 000007
【図７】
0005943175.tif 000008
【図８】
0005943175.tif 000009
【図９】
0005943175.tif 000010
【図１０】
0005943175.tif 000011
【図１１】
0005943175.tif 000012